(57)【要約】【課題】アクセス網を介して端末を外部の通信網に接続させる通信システムにおいて、端末のアクセス経路に拠らずに、端末に同一のアドレスを設定することを可能とする。【解決手段】  アクセス網と外部通信網との間で通信の中継を行う通信制御装置と、アドレス管理装置とを備える通信システムにおいて、前記アドレス管理装置は、端末毎に、端末で使用するアドレスを格納する格納手段を備え、前記通信制御装置は、前記アクセス網を介して端末から接続要求を受信し、当該接続要求に基づいて、当該端末のアドレスを前記アドレス管理装置から取得し、当該アドレスを前記端末に通知するアドレス取得通知手段と前記端末の経路情報を前記外部通信網に向けて広報する経路情報広報手段とを備える。【選択図】図１
2019145922.tif 000002
【特許請求の範囲】
【請求項１】
アクセス網と外部通信網との間で通信の中継を行う通信制御装置と、アドレス管理装置とを備える通信システムであって、
前記アドレス管理装置は、端末毎に、端末で使用するアドレスを格納する格納手段を備え、
前記通信制御装置は、
前記アクセス網を介して端末から接続要求を受信し、当該接続要求に基づいて、当該端末のアドレスを前記アドレス管理装置から取得し、当該アドレスを前記端末に通知するアドレス取得通知手段と
前記端末の経路情報を前記外部通信網に向けて広報する経路情報広報手段と
を備えることを特徴とする通信システム。
【請求項２】
前記通信システムは、前記通信制御装置と前記外部通信網とを接続する接続網を更に備え、
前記接続網は、複数の端末の経路情報を集約した経路情報を前記外部通信網に広報する
ことを特徴とする請求項１に記載の通信システム。
【請求項３】
前記格納手段は、端末毎に、端末の電話番号と当該端末で使用するアドレスとを対応付けて格納し、
前記アドレス取得通知手段は、前記接続要求に含まれる前記端末の電話番号に対応するアドレスを前記アドレス管理装置から取得する
ことを特徴とする請求項１又は２に記載の通信システム。
【請求項４】
アクセス網と外部通信網との間で通信の中継を行う通信制御装置と、端末毎に、端末で使用するアドレスを格納する格納手段を備えるアドレス管理装置とを備える通信システムにおける前記通信制御装置であって、
前記アクセス網を介して端末から接続要求を受信し、当該接続要求に基づいて、当該端末のアドレスを前記アドレス管理装置から取得し、当該アドレスを前記端末に通知するアドレス取得通知手段と
前記端末の経路情報を前記外部通信網に向けて広報する経路情報広報手段と
を備えることを特徴とする通信制御装置。
【請求項５】
コンピュータを、請求項４に記載の通信制御装置における各手段として機能させるためのプログラム。
【請求項６】
アクセス網と外部通信網との間で通信の中継を行う通信制御装置と、端末毎に、端末で使用するアドレスを格納する格納手段を備えるアドレス管理装置とを備える通信システムにおける通信方法であって、
前記通信制御装置が、前記アクセス網を介して端末から接続要求を受信し、当該接続要求に基づいて、当該端末のアドレスを前記アドレス管理装置から取得し、当該アドレスを前記端末に通知するアドレス取得通知ステップと
前記端末の経路情報を前記外部通信網に向けて広報する経路情報広報ステップと
を備えることを特徴とする通信方法。
【発明の詳細な説明】
【技術分野】
【０００１】
本発明は、網間を接続する通信制御装置に関連するものである。
【背景技術】
【０００２】
モバイル網を介して端末を閉域網やInternet等の外部のパケット通信網に接続させるサービスが普及している。このようなサービスでは、モバイル網とパケット通信網との間で通信の中継等を行う通信制御装置（交換機と称してもよい）が用いられる。
【０００３】
また、１つの通信制御装置が故障してもサービスを継続できるよう、複数の通信制御装置を備えることで冗長性を確保することも行われている。
【０００４】
従来技術では通常、端末がアクセスする通信制御装置毎に、端末に異なるＩＰアドレスが設定される。例えば、通信制御装置Ａと通信制御装置Ｂが使用される場合において、ある端末が通信制御装置Ａにアクセスする場合に当該端末に設定されるＩＰアドレスと、当該端末が通信制御装置Ｂにアクセスする場合に当該端末に設定されるＩＰアドレスとは異なるものとなる。これは通常、冗長構成をとる異なる通信制御装置は異なるネットワークに属するためである。
【先行技術文献】
【特許文献】
【０００５】
【特許文献１】特開２００３−２４４１９７号公報
【発明の概要】
【発明が解決しようとする課題】
【０００６】
しかし、端末がアクセスする通信制御装置毎に、端末に異なるＩＰアドレスが設定される従来技術では、管理サイトから端末への試験や機能アップデート等の管理サイトから端末への通信を行うことができない場合が生じる。
【０００７】
管理サイトにおいて通信制御装置毎に当該端末が使用するＩＰアドレスを管理していたとしても、管理サイトでは、端末がどの通信制御装置にアクセスしているかを把握できないので、管理サイトは、端末がアクセスしている通信制御装置とは異なるＩＰアドレスで端末への通信を行うことがあり、その場合には管理サイトから端末への通信を行うことができない。
【０００８】
本発明は上記の点に鑑みてなされたものであり、アクセス網を介して端末を外部の通信網に接続させる通信システムにおいて、端末のアクセス経路に拠らずに、端末に同一のアドレスを設定することを可能とする技術を提供することを目的とする。
【課題を解決するための手段】
【０００９】
開示の技術によれば、アクセス網と外部通信網との間で通信の中継を行う通信制御装置と、アドレス管理装置とを備える通信システムであって、
前記アドレス管理装置は、端末毎に、端末で使用するアドレスを格納する格納手段を備え、
前記通信制御装置は、
前記アクセス網を介して端末から接続要求を受信し、当該接続要求に基づいて、当該端末のアドレスを前記アドレス管理装置から取得し、当該アドレスを前記端末に通知するアドレス取得通知手段と
前記端末の経路情報を前記外部通信網に向けて広報する経路情報広報手段と
を備えることを特徴とする通信システムが提供される。
【発明の効果】
【００１０】
開示の技術によれば、アクセス網を介して端末を外部の通信網に接続させる通信システムにおいて、端末のアクセス経路に拠らずに、端末に同一のアドレスを設定することを可能とする技術が提供される。
【図面の簡単な説明】
【００１１】
【図１】本発明の実施の形態における通信システムの全体構成図である。
【図２】通信制御装置１００の機能構成図である。
【図３】認証装置２００の機能構成図である。
【図４】データ格納部２２０に格納されているデータの例を示す図である。
【図５】装置のハードウェア構成例を示す図である。
【図６】通信システムの動作を示すシーケンス図である。
【図７】通信システムの動作を示すシーケンス図である。
【発明を実施するための形態】
【００１２】
以下、図面を参照して本発明の実施の形態（本実施の形態）を説明する。以下で説明する実施の形態は一例に過ぎず、本発明が適用される実施の形態は、以下の実施の形態に限られるわけではない。例えば、本実施の形態では、パケット通信としてＩＰパケット通信を例にとって説明をしているが、本発明はＩＰパケット通信以外のパケット通信にも適用可能である。
【００１３】
（通信システムの全体構成）
図１に本発明の実施の形態における通信システムの全体構成図を示す。本実施の形態に係る通信システムは、携帯電話機やスマートフォン等の端末３００が、モバイル網等のアクセス網４００を利用して閉域網（企業ネットワーク等）やインターネット等の外部のパケット通信網６００に接続し、ＩＰによるパケット通信を行うことを可能とする通信システムである。
【００１４】
図１に示すように、本実施の形態における通信システムは、端末３００、アクセス網４００、通信制御装置１００Ａ、１００Ｂ、認証装置２００Ａ、２００Ｂ、接続網５００、及びパケット通信網６００を有し、図示の接続線等で示すように装置間で通信可能に構成されている。なお、通信制御装置１００Ａ、１００Ｂ、認証装置２００Ａ、２００Ｂを有する構成を通信システムと称してもよい。
【００１５】
本実施の形態においては、アクセス網４００としてモバイル網を用いることを想定しており、端末３００は、モバイル網を利用した通信を行うことができるスマートフォン等の無線端末である。ただし、これは例であり、アクセス網４００は有線網（例：固定電話網、インターネット）であってもよいし、端末３００は通信機能を持つＰＣ等であってもよい。
【００１６】
なお、ここでは、端末３００が通信制御装置１００Ａ、１００Ｂにアクセスすることから、これらの間にある網をアクセス網４００と称している。
【００１７】
上記のように、本実施の形態におけるアクセス網４００はモバイル網である。当該モバイル網は、一般的なモバイル網であり、基地局、基地局制御装置等を含んでいる。
【００１８】
なお、アクセス網４００としてのモバイル網は、１つのモバイル事業者により提供されるモバイル網であってもよいし、複数のモバイル事業者により提供される複数のモバイル網であってもよい。複数のモバイル事業者により提供される複数のモバイル網が使用される場合において、端末３００は、当該複数のモバイル網のそれぞれに接続する機能を備えてもよい。
【００１９】
通信制御装置１００Ａ、１００Ｂは、端末３００へのＩＰアドレスの割り当て、アクセス網４００と外部のパケット通信網６００との間でパケットの中継を行う装置である。以降、通信制御装置１００Ａ、１００Ｂを特に区別しない場合には、「通信制御装置１００」と表記する。本実施の形態では、冗長性を持たせる等の目的で、２つの通信制御装置１００Ａ、１００Ｂが備えられているが、これは例であり、３つ以上の通信制御装置１００が備えられてもよい。なお、通信制御装置１００を交換機と称してもよい。また、複数の通信制御装置１００を備えることは必須ではない。例えば、１つの通信制御装置１００を備える場合において、通信制御装置１００の属するネットワークが変更になる等の設定変更がある場合でも、本実施の形態に係る技術により、端末３００には同一のＩＰアドレスを設定できる。
【００２０】
アクセス網４００としてモバイル網を用いる本実施の形態において、通信制御装置１００は、例えばＬＴＥにおけるＰ−ＧＷ（PDN GateWay）あるいは３ＧにおけるＧＧＳＮ（Gateway GPRS Support Node）に相当する。ただし、これらは例であり、通信制御装置１００はＰ−ＧＷ、ＧＧＳＮ以外のノード装置であってもよい。
【００２１】
認証装置２００Ａ、２００Ｂは、端末３００のユーザの認証を行う装置であり、特に本実施の形態においては、後述するようにＩＰアドレスを通知する機能を含む。なお、以降、認証装置２００Ａ、２００Ｂを特に区別しない場合には、「認証装置１００」と表記する。認証装置１００をアドレス管理装置と称してもよい。本実施の形態では、２つの認証装置２００Ａ、２００Ｂが備えられているが、これは例であり、３つ以上の認証装置１００が備えられてもよい。また、１つの認証装置１００が備えられることとしてもよい。なお、複数の認証装置１００が備えられる場合において、各認証装置には同じデータが保持される。
【００２２】
接続網５００は、アクセス網４００と外部のパケット通信網６００との間の分界点となる網であり、複数のルータ５０１〜５０４を含む。なお、図１の接続網５００においては４つのルータが示されているが、これは一例に過ぎない。
【００２３】
（装置構成例）
図２に、通信制御装置１００の機能構成例を示す。図２に示すように、通信制御装置１００は通信部１１０、ＩＰアドレス取得通知部１２０、ＩＰアドレス経路広報部１３０、切断処理部１４０を含む。
【００２４】
通信部１１０は、端末３００と接続網５００との間のパケットの中継を行う。具体的には、通信部１１０は、端末３００との間にトンネルを設定し、端末３００との間ではトンネルを用いたＩＰパケットの送受信を行う。接続網５００との間ではトンネルを使用しないでＩＰパケットの送受信を行う。
【００２５】
ＩＰアドレス取得通知部１２０は、端末３００からの接続要求に基づいて、認証装置２００から、当該端末３００に対して予め登録されているＩＰアドレスを取得し、当該ＩＰアドレスを当該端末３００に通知する。ＩＰアドレス経路広報部１３０は、端末３００の経路情報（端末３００のＩＰアドレス）を接続網５００に対して広報（advertise）する。切断処理部１４０は、端末３００が通信切断を行う際の処理を行う。
【００２６】
図３に、認証装置２００の機能構成例を示す。図３に示すように、認証装置２００は、認証処理部２１０、データ格納部２２０を含む。認証処理部２１０は、通信制御装置２００からの認証要求に基づいて、データ格納部２２０を参照することで認証処理を行う。認証処理としては、例えば、認証要求に含まれる電話番号がデータ格納部２２０に登録されているか否か、認証要求に含まれるＩＤ／パスワード（端末３００から送られたもの）が、データ格納部２２０に登録されているＩＤ／パスワードと一致するか否か、等の処理がある。認証装置２００は更に端末３００の状態（接続中等）を管理する機能を含んでもよい。
【００２７】
また、認証処理部２２０は、認証要求に含まれる電話番号に対応するＩＰアドレスをデータ格納部２２０から取得し、通信制御装置１００に返す等の処理も実行する。
【００２８】
図４（ａ）、（ｂ）に、データ格納部２２０に格納されているデータ（テーブル）の例を示す。なお、図４（ａ）、（ｂ）は、データ格納部２２０に格納されているデータのうちの、端末３００に提供するＩＰアドレスに関するものに着目した図である。
【００２９】
図４（ａ）に示す例において、データ格納部２２０に格納されているテーブルは、ユーザ（端末）毎に、電話番号とＩＰアドレスを対応付けたテーブルである。このＩＰアドレスは予め登録しておくものである。
【００３０】
図４（ｂ）に示す例において、データ格納部２２０に格納されているテーブルは、ユーザ（端末）毎に、複数の電話番号に、１つのＩＰアドレスが対応付けられたテーブルである。この場合は、端末が電話番号の異なる複数のモバイル網に接続可能であることを想定している。このように、複数の電話番号に、１つのＩＰアドレスを割り当てておくことで、端末３００には、接続するモバイル網に依存せずに、同一のＩＰアドレスが割り当てられる。
【００３１】
また、認証装置２００における認証機能と、ＩＰアドレス取得・返却機能とを別々の装置として備えることとしてもよい。この場合、ＩＰアドレス取得・返却機能の装置をアドレス管理装置と称し、当該アドレス管理装置には、図４（ａ）（ｂ）等に示すデータが保持される。
【００３２】
なお、本実施の形態で説明する例では、電話番号をキーとしてＩＰアドレスを取得することとしているが、キーとする情報は電話番号に限られない。ユーザあるいは端末に紐づけられる情報であって、接続要求時に端末３００から通知可能な情報であればキー情報として使用できる。
【００３３】
（ハードウェア構成例）
通信制御装置１００及び認証装置２００はいずれも、例えば、コンピュータに、本実施の形態で説明する処理内容を記述したプログラムを実行させることにより実現可能である。すなわち、当該装置が有する機能は、当該コンピュータに内蔵されるＣＰＵやメモリ、ハードディスクなどのハードウェア資源を用いて、当該装置で実施される処理に対応するプログラムを実行することによって実現することが可能である。上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３４】
図５は、当該装置（通信制御装置１００及び認証装置２００のいずれにも該当）をコンピュータで実現する場合におけるハードウェア構成例を示す図である。図５に示す装置は、それぞれバスＢで相互に接続されているドライブ装置１５０、補助記憶装置１５２、メモリ装置１５３、ＣＰＵ１５４、インタフェース装置１５５、表示装置１５６、及び入力装置１５７等を有する。
【００３５】
当該装置での処理を実現するプログラムは、例えば、ＣＤ−ＲＯＭ又はメモリカード等の記録媒体１５１によって提供される。プログラムを記憶した記録媒体１５１がドライブ装置１５０にセットされると、プログラムが記録媒体１５１からドライブ装置１５０を介して補助記憶装置１５２にインストールされる。但し、プログラムのインストールは必ずしも記録媒体１５１より行う必要はなく、ネットワークを介して他のコンピュータよりダウンロードするようにしてもよい。補助記憶装置１５２は、インストールされたプログラムを格納すると共に、必要なファイルやデータ等を格納する。
【００３６】
メモリ装置１５３は、プログラムの起動指示があった場合に、補助記憶装置１５２からプログラムを読み出して格納する。ＣＰＵ１５４（プロセッサ）は、メモリ装置１５３に格納されたプログラムに従って当該装置に係る機能を実現する。インタフェース装置１５５は、ネットワークに接続するためのインタフェースとして用いられる。表示装置１５６はプログラムによるＧＵＩ（Ｇｒａｐｈｉｃａｌ  Ｕｓｅｒ  Ｉｎｔｅｒｆａｃｅ）等を表示する。入力装置１５７はキーボード及びマウス、ボタン、又はタッチパネル等で構成され、様々な操作指示を入力させるために用いられる。
【００３７】
なお、当該装置を遠隔から操作したり、遠隔で表示を行う場合には、表示装置１５６及び入力装置１５７を備えないこととしてもよい。
【００３８】
（動作例）
次に、図６、図７を参照して、図１に示した本実施の形態における通信システムの動作例を説明する。なお、端末３００がパケット通信網６００に接続する際に、通信制御装置１００Ａと通信制御装置１００Ｂのどちらを用いてもよいが、下記の例では、例として、通信制御装置１００Ａを使用している。また、認証装置２００については認証装置２００Ａを使用している。通信制御装置１００Ｂを用いる場合でも、下記の動作と同じ動作が実行され、端末３００には同一のＩＰアドレスが設定される。
【００３９】
＜接続時の動作例＞
まず、端末３００がパケット通信網６００に接続する際の動作例を図６のシーケンス図を参照して説明する。
【００４０】
Ｓ１０１において、端末３００は、接続要求を送信する。通信制御装置１００Ａが当該接続要求を受信する。当該接続要求には、端末３００の電話番号、及び、接続先を示す宛先アドレスが含まれる。この宛先アドレスは、例えばＡＰＮ（Access Point Name）である。なお、接続要求に電話番号が含まれることは一例である。接続要求に、電話番号に代えて、あるいは、電話番号に加えて、ユーザ情報（例：図４（ｂ）の「ユーザ」を識別する情報）や、前述したキー情報として使用できる端末情報が含まれていてもよい。以下では、電話番号をキー情報として使用する場合を例にとって説明する。
【００４１】
Ｓ１０２では、接続要求を受信した通信制御装置１００Ａにおいて、ＩＰアドレス取得通知部１２０が、端末３００の電話番号を含む認証要求を認証装置２００Ａに送信する。認証装置２００Ａでは、認証処理部２１０が、認証処理を行うとともに、データ格納部２２０から端末３００の電話番号に対応するＩＰアドレスを取得する。例えば、図４（ａ）の例において、端末３００の電話番号が「電話番号１」であるとすると、これに対応する「ＩＰアドレス１」が取得される。更に、端末３００の状態として例えば「接続中」がデータ格納部２２０に記録される。
【００４２】
Ｓ１０３において、認証装置２００Ａは、電話番号に対応するＩＰアドレスが含まれる認証応答を通信制御装置１００Ａに返す。
【００４３】
Ｓ１０４において、通信制御装置１００ＡのＩＰアドレス取得通知部１２０は、認証装置２００Ａから受信したＩＰアドレスを含む接続応答を、端末３００に送信する。これにより、端末３００は、当該ＩＰアドレスを設定し、パケット通信網６００との通信において自身のＩＰアドレスとして使用できる。
【００４４】
本実施の形態では、Ｓ１０１とＳ１０４の手順により、端末３００と通信制御装置１００Ａ（の通信部１１０）との間にトンネルが設定され、端末３００と通信制御装置１００Ａとの間では、当該トンネルを介してＩＰパケットの通信がなされる。このトンネルは例えばＧＴＰ（GPRS Tunneling Protocol）トンネルである。
【００４５】
Ｓ１０５において、通信制御装置１００ＡのＩＰアドレス経路広報部１３０は、ルーティングプロトコルを用いて、端末３００のＩＰアドレスの経路情報を接続網５００に広報（送信）する（つまり、パケット通信網６００に向けて広報する）。ここでの経路情報は、通信制御装置１００Ａに接続される端末３００のＩＰアドレス（例：１０．１０．０．１／３２）を有する。経路情報が送信されると、接続網５００における各ルータに経路情報が広報される。経路情報をあるポート（インタフェースと称しても良い）で受け取った各ルータは、端末３００のＩＰアドレスを宛先とするパケットを受け取った場合に、そのポートからパケットを出力するようにルーティングテーブルを設定する。
【００４６】
Ｓ１０６において、接続網５００（における例えばルータ５０３）は、複数の端末のＩＰアドレスを集約した経路情報をパケット通信網６００へ広報する。複数の端末のＩＰアドレスを集約した経路情報とは、例えば、予め定めたネットワークのアドレス（複数の端末に割り当てられるＩＰアドレスの共通のネットワーク部、例：１０．１０．０．０／１５）である。これにより、パケット通信網６００においては、例えば端末３００のＩＰアドレスを宛先とするパケットを接続網５００に向けて転送するルーティングを実施できる。
【００４７】
Ｓ１０６において、集約した経路情報を用いずに、Ｓ１０５のように個々の端末の経路情報を広報する場合、閉域網等であるパケット通信網６００で許容されない数十万経路が広報されることになるが、集約した経路情報を用いることで、閉域網等であるパケット通信網６００で許容される経路数の経路情報とすることができる。
【００４８】
なお、Ｓ１０５における経路情報の広報は、端末３００が通信制御装置１００Ａに接続されている間、定期的に行うこととしてもよい。また、Ｓ１０６における経路情報の広報は、集約アドレスに該当するＩＰアドレスの端末３００が少なくとも１つ通信制御装置１００Ａに接続されている間、定期的に行うこととしてもよい。Ｓ１０７において、端末３００とパケット通信網６００とで通信が行われる。
【００４９】
＜切断時の動作例＞
次に、端末３００がパケット通信網６００との通信を切断する際の動作例を図７のシーケンス図を参照して説明する。
【００５０】
Ｓ２０１において、端末３００は切断要求を送信し、通信制御装置１００Ａは当該切断要求を受信する。
【００５１】
Ｓ２０２において、通信制御装置１００Ａの切断処理部１４０は、切断通知を認証装置２００Ａに送信する。認証装置２００Ａでは、認証処理部２１０が、当該端末３００の状態を「切断」とし、Ｓ２０３において切断応答を通信制御装置１００Ａに返す。
【００５２】
Ｓ２０４において、通信制御装置１００Ａの切断処理部１４０は、端末３００に対して切断応答を送信する。Ｓ２０１、Ｓ２０４により、端末３００と通信制御装置１００Ａとの間に設定されていたトンネルが切断される。
【００５３】
また、通信制御装置１００ＡのＩＰアドレス経路広報部１３０は、端末３００のＩＰアドレが通信制御装置１００Ａからの経路に含まれなくなったことを示す経路情報を接続網５００に広報する（Ｓ２０５）。当該経路情報は、例えば、端末３００のＩＰアドレスに到達できないことを示す情報（例：大きなメトリックを設定）である。当該経路情報は接続網５００における各ルータに広報され、各ルータにおいて、端末３００のＩＰアドレスへの経路情報は削除される。
【００５４】
上記にように端末３００のＩＰアドレスに到達できないことを示す情報を送信することに代えて、図６のＳ１０５において定期的に送信していた端末３００のＩＰアドレスの経路情報の送信を停止することとしてもよい。この場合、各ルータにおいて、タイムアウトにより端末３００のＩＰアドレスへの経路情報が削除される。
【００５５】
図６のＳ１０６に示した経路情報については、端末３００が切断されても、他の端末（集約アドレスに該当する端末）が接続されていれば、継続して広報される。図７では、それをＳ２０６として示している。Ｓ２０７は、端末３００とパケット通信網５００との間の通信が切断され、通信ができないことを示している。
【００５６】
（実施の形態の効果等）
以上説明した本実施の形態に係る技術により、アクセス網を介して端末を外部の通信網に接続させる通信システムにおいて、端末のアクセス経路に拠らずに、端末に同一のアドレスを設定することができる。
【００５７】
これにより、端末等の利用者機器を１つのＩＰアドレスで管理できるようになるため、通常系／冗長系のいずれの経路を利用しているかを意識することなく利用者機器監視や制御、データ配信等を利用できるようになる。また、サイトや拠点等の接続制御の設定が例えば半分になるため運用が容易になるとともに、利用していないＩＰアドレスによる通信を防ぐこともできるためセキュリティ向上も図れる。
【００５８】
更に、複数のモバイル事業者にまたがって同一ＩＰアドレスを利用することや、３経路以上の冗長経路提供においても同一ＩＰアドレスの利用が実現可能である。
【００５９】
（実施の形態のまとめ）
以上、説明したように、本実施の形態により、アクセス網と外部通信網との間で通信の中継を行う通信制御装置と、アドレス管理装置とを備える通信システムであって、前記アドレス管理装置は、端末毎に、端末で使用するアドレスを格納する格納手段を備え、前記通信制御装置は、前記アクセス網を介して端末から接続要求を受信し、当該接続要求に基づいて、当該端末のアドレスを前記アドレス管理装置から取得し、当該アドレスを前記端末に通知するアドレス取得通知手段と前記端末の経路情報を前記外部通信網に向けて広報する経路情報広報手段とを備えることを特徴とする通信システムが提供される。
【００６０】
データ格納部２２０は格納手段の例であり、ＩＰアドレス取得通知部１２０はアドレス取得通知手段の例であり、ＩＰアドレス経路広報部１３０は経路情報広報手段の例である。
【００６１】
前記通信システムは、前記通信制御装置と前記外部通信網とを接続する接続網を更に備え、前記接続網は、複数の端末の経路情報を集約した経路情報を前記外部通信網に広報することとしてもよい。
【００６２】
前記格納手段は、端末毎に、端末の電話番号と当該端末で使用するアドレスとを対応付けて格納し、前記アドレス取得通知手段は、前記接続要求に含まれる前記端末の電話番号に対応するアドレスを前記アドレス管理装置から取得することとしてもよい。
【００６３】
また、本実施の形態により、アクセス網と外部通信網との間で通信の中継を行う通信制御装置と、端末毎に、端末で使用するアドレスを格納する格納手段を備えるアドレス管理装置とを備える通信システムにおける前記通信制御装置であって、前記アクセス網を介して端末から接続要求を受信し、当該接続要求に基づいて、当該端末のアドレスを前記アドレス管理装置から取得し、当該アドレスを前記端末に通知するアドレス取得通知手段と
前記端末の経路情報を前記外部通信網に向けて広報する経路情報広報手段とを備えることを特徴とする通信制御装置が提供される。
【００６４】
また、本実施の形態により、コンピュータを、上記通信制御装置における各手段として機能させるためのプログラムが提供される。
【００６５】
以上、本実施の形態について説明したが、本発明はかかる特定の実施形態に限定されるものではなく、特許請求の範囲に記載された本発明の要旨の範囲内において、種々の変形・変更が可能である。
【符号の説明】
【００６６】
１００、１００Ａ、１００Ｂ  通信制御装置
２００、２００Ａ、２００Ｂ  認証装置
３００  端末
４００  アクセス網
５００  接続網
５０１〜５０４  ルータ
６００  パケット通信網
１１０  通信部
１２０  ＩＰアドレス取得通知部
１３０  ＩＰアドレス経路広報部
１４０  切断処理部
１５０  ドライブ装置
１５１  記録媒体
１５２  補助記憶装置
１５３  メモリ装置
１５４  ＣＰＵ
１５５  インタフェース装置
１５６  表示装置
１５７  入力装置
２１０  認証処理部
２２０  データ格納部
【図１】
2019145922.tif 000003
【図２】
2019145922.tif 000004
【図３】
2019145922.tif 000005
【図４】
2019145922.tif 000006
【図５】
2019145922.tif 000007
【図６】
2019145922.tif 000008
【図７】
2019145922.tif 000009